(57)【特許請求の範囲】
【請求項１】
椎骨における椎弓部に係合自在の湾曲した固定クランプを下部に備えたインプラントボディの上部に、連結部材を掛けるためのフック部を備え、前記固定クランプと対向して前記椎弓部を把持自在の可動クランプを、前記インプラントボディに移動固定自在かつ前記フック部を中心として回動固定自在に備え、前記フック部が前記可動プラントの固定具を兼ねていることを特徴とする骨接合具用インプラント。
【発明の詳細な説明】
【０００１】
【発明の属する技術分野】
本発明は、例えば胸椎、腰椎等の骨を接合する際に使用する骨接合具用のインプラントに係り、さらに詳細には、例えば人工靱帯などの連結部材を掛けるためのフック部を備えた骨接合具用インプラントに関する。
【０００２】
【従来の技術】
従来、胸椎や腰椎等の骨の接合を行う場合、図６に示すように、例えば胸椎、腰椎などのごとき離れた椎体１にそれぞれインプラント３を螺入埋設している。このインプラント３は、椎体１に螺入埋設するスクリュー部と大径の頭部を備えた構成であって、上記頭部に形成したロッド係合溝に連結用ロッド５の両端側を係合し、止めねじによって上記連結用ロッド５をインプラント３に一体的に固定している。
【０００３】
そして、前記インプラント３を螺入埋設した椎体１から離隔した別の椎体１に、人工靱帯などの連結部材７を掛けるためのフック部９Ｆを頂部に備えたスクリューなどのごときインプラント９を螺入埋設し、このインプラント９の前記フック部９Ｆと前記連結用ロッド５の端部に備えたフック部５Ｆとに前記連結部材７が掛けられている。
【０００４】
また、フック部９Ｆを備えたインプラント９を離隔した椎体１にそれぞれ螺入埋設し、各インプラント９のフック部９Ｆに前記連結部材７を掛けることも行われている。
【０００５】
【発明が解決しようとする課題】
前述のごとく、連結部材を掛けるためのフック部を備えたインプラントを椎体に螺入埋設する構成においては、他の部分に損傷を与えないようにインプラントを椎体に正確に螺入埋設しなければならず、高度の技術を要すると共に、インプラントを螺入埋設されることにより椎体の負担が大きくなる等の問題がある。
【０００６】
【課題を解決するための手段】
本発明は前述のごとき従来の問題に鑑みてなされたもので、本発明に係る骨接合具用インプラントは、椎骨における椎弓部に係合自在の湾曲した固定クランプを下部に備えたインプラントボディの上部に、連結部材を掛けるためのフック部を備えた構成であって、前記固定クランプと対向して前記椎弓部を把持自在の可動クランプを、前記インプラントボディに移動固定自在かつ前記フック部を中心として回動固定自在に備えた構成であり、そして前記フック部は前記可動プラントの固定具を兼ねているものである。
【０００７】
【発明の実施の形態】
図１を参照するに、本発明の実施の形態に係る骨接合具用インプラント１１は、ブロック状のインプラントボディ１３を備えており、このインプラントボディ１３の下部には椎骨における椎弓部３Ａに係合自在の湾曲したほぼＵ字形状の固定クランプ１５を備えている。そして、前記インプラントボディ１３の上部には、例えば人工靱帯やワイヤ或いはケーブル等のごとき適宜の連結部材１７を掛けるためのフック部１９が一体に設けてある。上記フック部１９は断面形状が円形のピン状をなすものであって、このピン状部分の端部には、前記連結部材１７の外れを防止するためにフランジ部２１が一体に設けてある。
【０００８】
上記構成により、連結部材１７を掛けるために骨接合具用インプラント１１を使用する場合には、上記骨接合具用インプラント１１の固定クランプ１５を、適宜位置の椎体における椎弓部３Ａに係合し、当該椎弓部３Ａに固定する。その後にこのインプラント１１のフック部１９に連結部材１７を掛けることにより、従来のインプラントと同様に使用し得るものである。
【０００９】
既に理解されるように、骨接合具用インプラント１１は、椎体に螺入埋設するものではなく、椎体における椎弓部３Ａに固定クランプ１５部分を係合するものであるから、椎体の負担を軽くすることができるものである。
【００１０】
図２〜図４は本発明の第２の実施形態を示すもので、この実施の形態に係る骨接合具用インプラント１１は、前記固定クランプ１５と対向して椎体の椎弓部３Ａを把持自在の可動クランプ２３を前記インプラントボディ１３に移動固定自在かつ回動固定自在に備えた構成である。
【００１１】
より詳細には、図４に示すように、前記固定クランプ１５を備えた前記インプラントボディ１３の上面には螺子孔１３Ｈが形成してあり、前記フック部１９の下部には前記螺子孔１３Ｈに螺合する螺子部１９Ｓが設けてある。そして、前記可動クランプ２３は、スリット又は長孔２３Ｈを備えたクランプ本体２３Ｂの先端部に、前記固定クランプ１５と対向して椎体の椎弓部３Ａを把持するために湾曲したフック部２３Ｆを備えた構成である。
【００１２】
上記構成において、図４に示すように、インプラントボディ１３とフック部１９との間に可動クランプ２３のクランプ本体２３Ｂを位置せしめた後、上記クランプ本体２３Ｂに形成した長孔２３Ｈを貫通した前記フック部１９の螺子部１９Ｓをインプラントボディ１３の螺子孔１３Ｈに螺合させると、可動クランプ２３は、インプラントボディ１３とフック部１９との間に挟持されることとなる。
【００１３】
したがって、インプラントボディ１３とフック部１９との間に可動クランプ２３を軽く挟持した状態においては、固定クランプ１５に対して接近離反する方向に可動クランプ２３を移動調節することができると共にフック部１９の螺子部１９Ｓを中心として回動調節でき、椎弓部３Ａの大きさ等に対応することができる。またフック部１９の螺子部１９Ｓを螺子孔１３Ｈに強く締め付けることにより、可動クランプ２３のクランプ本体２３Ｂは、インプラントボディ１３とフック部１９の下部に備えた下部フランジ１９Ｆとの間に強固に挟持固定されることになる。すなわち、本例においては、フック部１９は、連結部材１７を掛けるためのフックと可動クランプ２３を固定するための固定具とを兼ねているものである。
【００１４】
この骨接合具用インプラントにおいては、固定クランプ１５と可動クランプ２３とによって椎体における椎弓部３Ａを両側から把持してフック部１９を椎体に固定するものであるから、前述した第１の実施形態に係る骨接合具用インプラントと同様の効果を奏し得ると共に、椎体に対する骨接合具用インプラントの固定がより安定的となるものである。
【００１５】
図５には前記骨接合用インプラント１１と前記インプラント９とに連結部材７を掛けた状態の１例が示してある。なお、場合によっては、上記インプラント９に代えて骨接合用インプラント１１を用いることもできるものである。
【００１６】
【発明の効果】
以上のごとき説明より理解されるように、本発明によれば、連結部材を掛けるためのフック部を備えた骨接合具用インプラントを、椎体に損傷等を与えることなく安定的に固定することができるものである。
【図面の簡単な説明】
【図１】本発明の第１の実施の形態に係る骨接合具用インプラントの正面説明図である。
【図２】本発明の第２の実施の形態に係る骨接合具用インプラントの正面説明図である。
【図３】同上の斜視説明図である。
【図４】同上の分解斜視説明図である。
【図５】骨接合用インプラントの１使用例を示す説明図である。
【図６】従来技術の概略的な説明図である。
【符号の説明】
１１…骨接合用インプラント
１３…インプラントボディ
１５…固定クランプ
１９…フック部
２３…可動クランプ
【図１】
0004755782.tif 000002
【図２】
0004755782.tif 000003
【図３】
0004755782.tif 000004
【図４】
0004755782.tif 000005
【図５】
0004755782.tif 000006
【図６】
0004755782.tif 000007